【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
複数のチャネルを介して第１のデバイスからメッセージをワイヤレスに受信することと、
各チャネルを介して前記第１のデバイスから受信された１つのメッセージに基づいて、各チャネルの品質を推定することと、
各チャネルの前記推定された品質に基づいて、前記複数のチャネルのうちの第１のチャネルをワイヤレス通信用に選択することと、
ワイヤレス通信用の前記第１のチャネルの選択を示す選択メッセージを用意することと、
前記第１のチャネルの前記選択を示すために、前記第１のデバイスに前記第１のチャネル上で前記選択メッセージを送信することと
を備える、ワイヤレス通信の方法。
【請求項２】
前記第１のデバイスとのワイヤレス通信用の１次チャネルを決定することと、
前記複数のチャネルのうちの最高の推定された品質を有するチャネルを前記第１のチャネルとして選択することと
をさらに備え、
前記１次チャネル上で前記選択メッセージを送信するとき、前記選択メッセージのデータコンテンツが前記第１のチャネルの選択を示し、
前記第１のチャネル上で前記選択メッセージを送信するとき、前記選択メッセージの前記データコンテンツが前記第１のチャネルの選択を示さない、または、
請求項１に記載の方法は、前記第１のチャネル上に通信がないことを検出するか、または前記第１のチャネル上の第１の通信が完了したと判断するまで、前記第１のチャネル上での前記選択メッセージの送信を延期することをさらに備え、
前記方法は特に、
チャネルエネルギー検出を使用して、前記第１のチャネル上の通信を検出すること、または
プリアンブル検出を使用して、前記第１の通信が完了したと判断すること
をさらに備える、請求項１に記載の方法。
【請求項３】
前記第１のデバイスからビーコンメッセージをワイヤレスに受信することと、前記ビーコンメッセージは、選択メッセージの送信用の専用持続時間の開始を示し、
前記ビーコンメッセージの受信後まで前記選択メッセージの送信を延期することと、
前記専用持続時間の間、前記選択メッセージの送信を可能にすることと
をさらに備え、
前記方法は特に、
前記第１のデバイスから確認応答メッセージをワイヤレスに受信することと、前記確認応答メッセージは、選択メッセージの受信を確認し、
前記確認応答メッセージが第１の選択メッセージの受信を確認したかどうかを判断することと、
少なくとも１つの確認応答メッセージが前記第１の選択メッセージの受信を確認していないと判断することに応答して、前記第１のデバイスに前記選択メッセージをワイヤレスに送信することと
をさらに備える、請求項１に記載の方法。
【請求項４】
前記第１のデバイスからチャネル指示メッセージをワイヤレスに受信することと、前記チャネル指示メッセージは、前記第１のデバイスとのワイヤレス通信用に利用可能なチャネルと、前記利用可能なチャネルがいつ利用可能になるかとをデバイスに通知し、
前記チャネル指示メッセージに少なくとも基づいて、前記選択メッセージをいつ送信するかを決定することと
をさらに備え、
前記方法は特に、
１次チャネル上で前記第１のデバイスから前記チャネル指示メッセージを受信することをさらに備え、または、
前記方法は特に、
前記チャネル指示メッセージを周期的に受信することをさらに備え、または、
前記方法は特に、
前記第１のデバイスが前記第１のチャネル上で現在通信していないことを前記チャネル指示メッセージが示すとき、省電力モードに入ることを備える、請求項１に記載の方法。
【請求項５】
１次チャネル上に通信がないことを検出するか、または前記１次チャネル上の第１の通信が完了したと判断するまで、前記１次チャネル上での前記選択メッセージの送信を延期することをさらに備える、請求項１に記載の方法。
【請求項６】
１次チャネル上で前記選択メッセージをワイヤレスに送信することと、前記選択メッセージは、送信リクエストメッセージを備え、
前記１次チャネル上で前記第１のデバイスから確認応答メッセージをワイヤレスに受信することと、各々の確認応答メッセージは、送信可メッセージを備え、
第１の選択メッセージの前記第１のデバイスによる受信を確認する第１の確認応答メッセージを受信するまで、前記第１のチャネル上でのデータの送信を延期することと、
第２の確認応答メッセージの前記送信可メッセージ内で示された時刻に少なくとも基づいて、通信が前記１次チャネル上で完了したかどうかを判断することと
をさらに備える、請求項１に記載の方法。
【請求項７】
物理層プリアンブルを備えるヌルデータパケットを用意することと、前記ヌルデータパケットは１次チャネルまたは２次チャネル上の通信を延期することをデバイスに示し、
前記１次チャネル上で前記ヌルデータパケットをワイヤレスに送信することと
をさらに備える、請求項１に記載の方法。
【請求項８】
物理層プリアンブルを備えるヌルデータパケットを、１次チャネル上で第２のデバイスからワイヤレスに受信することと、
前記ヌルデータパケットに基づいて、前記１次チャネルまたは２次チャネル上の通信を延期することと
をさらに備える、請求項１に記載の方法。
【請求項９】
１次チャネル上で前記第１のデバイスからトラフィック指示マップ（ＴＩＭ）メッセージを周期的にワイヤレスに受信することと、前記ＴＩＭメッセージは、デバイスが前記第１のデバイスでバッファリングされたデータを有するかどうかを示し、
前記１次チャネルまたは前記第１のチャネルのいずれかを送信チャネルとして選択することと、
前記送信チャネル上で前記第１のデバイスに前記選択メッセージをワイヤレスに送信することと、前記選択メッセージは、前記第１のデバイスでバッファリングされたデータの受信用の前記第１のチャネルの選択を示すポーリングメッセージを備え、
をさらに備え、
前記方法は特に、
前記第１のデバイスから受信されたデータが正確に受信されたことを示す確認応答メッセージを用意することと、
前記第１のチャネル上で前記確認応答メッセージをワイヤレスに送信することと
をさらに備える、請求項１に記載の方法。
【請求項１０】
前記第１のデバイスが第１のモードで動作するときは第１のプロセスを使用して、前記第１のデバイスが第２のモードで動作するときは第２のプロセスを使用して、各チャネルの前記品質を推定することをさらに備え、前記第１のプロセスが前記第２のプロセスと異なる、請求項１に記載の方法。
【請求項１１】
複数のチャネルを介して第１のデバイスからメッセージをワイヤレスに受信するための手段と、
各チャネルを介して前記第１のデバイスから受信された１つのメッセージに基づいて、各チャネルの品質を推定するための手段と、
各チャネルの前記推定された品質に基づいて、前記複数のチャネルのうちの第１のチャネルをワイヤレス通信用に選択するための手段と、
ワイヤレス通信用の前記第１のチャネルの選択を示す選択メッセージを用意するための手段と、
前記第１のチャネルの前記選択を示すために、前記第１のデバイスに前記第１のチャネル上で前記選択メッセージを送信するための手段と
を備える、ワイヤレス通信用の装置。
【請求項１２】
前記第１のデバイスとのワイヤレス通信用の１次チャネルを決定するための手段と、
前記複数のチャネルのうちの最高の推定された品質を有するチャネルを前記第１のチャネルとして選択するための手段と
をさらに備え、
前記１次チャネル上で前記選択メッセージを送信するとき、前記選択メッセージのデータコンテンツが前記第１のチャネルの選択を示し、
前記第１のチャネル上で前記選択メッセージを送信するとき、前記選択メッセージの前記データコンテンツが前記第１のチャネルの選択を示さない、または、
請求項１１に記載の装置は、前記第１のチャネル上に通信がないことを検出するか、または前記第１のチャネル上の第１の通信が完了したと判断するまで、前記第１のチャネル上での前記選択メッセージの送信を延期するための手段をさらに備える、請求項１１に記載の装置。
【請求項１３】
前記第１のデバイスからビーコンメッセージをワイヤレスに受信するための手段と、前記ビーコンメッセージは、選択メッセージの送信用の専用持続時間の開始を示し、
前記ビーコンメッセージの受信後まで前記選択メッセージの送信を延期するための手段と、
前記専用持続時間の間、前記選択メッセージの送信を可能にするための手段と
をさらに備え、
前記装置は特に、
前記第１のデバイスから確認応答メッセージをワイヤレスに受信するための手段と、前記確認応答メッセージは、選択メッセージの受信を確認し、
前記確認応答メッセージが第１の選択メッセージの受信を確認したかどうかを判断するための手段と、
少なくとも１つの確認応答メッセージが前記第１の選択メッセージの受信を確認していないと判断することに応答して、前記第１のデバイスに前記選択メッセージをワイヤレスに送信するための手段と
をさらに備える、請求項１１に記載の装置。
【請求項１４】
前記第１のデバイスからチャネル指示メッセージをワイヤレスに受信するための手段と、前記チャネル指示メッセージは、前記第１のデバイスとのワイヤレス通信用に利用可能なチャネルと、前記利用可能なチャネルがいつ利用可能になるかとをデバイスに通知し、
前記チャネル指示メッセージに少なくとも基づいて、前記選択メッセージをいつ送信するかを決定するための手段と
をさらに備える、または、
請求項１１に記載の装置は、
１次チャネル上に通信がないことを検出するか、または前記１次チャネル上の第１の通信が完了したと判断するまで、前記１次チャネル上での前記選択メッセージの送信を延期するための手段をさらに備える、または、
請求項１１に記載の装置は、
１次チャネル上で前記選択メッセージをワイヤレスに送信するための手段と、前記選択メッセージは、送信リクエストメッセージを備え、
前記１次チャネル上で前記第１のデバイスから確認応答メッセージをワイヤレスに受信するための手段と、各々の確認応答メッセージは、送信可メッセージを備え、
第１の選択メッセージの前記第１のデバイスによる受信を確認する第１の確認応答メッセージを受信するまで、前記第１のチャネル上でのデータの送信を延期するための手段と、
第２の確認応答メッセージの前記送信可メッセージ内で示された時刻に少なくとも基づいて、通信が前記１次チャネル上で完了したかどうかを判断するための手段と
をさらに備える、または、
請求項１１に記載の装置は、
１次チャネル上で前記第１のデバイスからトラフィック指示マップ（ＴＩＭ）メッセージを周期的にワイヤレスに受信するための手段と、前記ＴＩＭメッセージは、デバイスが前記第１のデバイスでバッファリングされたデータを有するかどうかを示し、
前記１次チャネルまたは前記第１のチャネルのいずれかを送信チャネルとして選択するための手段と、
前記送信チャネル上で前記第１のデバイスに前記選択メッセージをワイヤレスに送信するための手段と、前記選択メッセージは、前記第１のデバイスでバッファリングされたデータの受信用の前記第１のチャネルの選択を示すポーリングメッセージを備え、
をさらに備える、または、
請求項１１に記載の装置は、
前記第１のデバイスが第１のモードで動作するときは第１のプロセスを使用して、前記第１のデバイスが第２のモードで動作するときは第２のプロセスを使用して、各チャネルの前記品質を推定するための手段をさらに備え、前記第１のプロセスが前記第２のプロセスと異なる、請求項１１に記載の装置。
【請求項１５】
コンピュータ上で実行されたとき、請求項１乃至１０のうちのいずれか一項に記載されるステップを実行するための実行可能プログラム命令を記憶する、非一時的コンピュータストレージ。
【手続補正２】
【補正対象書類名】明細書
【補正対象項目名】０１１１
【補正方法】変更
【補正の内容】
【０１１１】
[00125]上記は本開示の態様を対象とするが、本開示の他の態様およびさらなる態様は、その基本的範囲から逸脱することなく考案され得るし、その範囲は以下の特許請求の範囲によって決定される。
以下に、本願出願の当初の特許請求の範囲に記載された発明を付記する。
［Ｃ１］  複数のチャネルを介して第１のデバイスからメッセージをワイヤレスに受信するように構成された受信機と、
各チャネルを介して前記第１のデバイスから受信された１つのメッセージに基づいて、各チャネルの品質を推定することと、
各チャネルの前記推定された品質に基づいて、前記複数のチャネルのうちの第１のチャネルをワイヤレス通信用に選択することと、
ワイヤレス通信用の前記第１のチャネルの選択を示す選択メッセージを用意することと
を行うように構成されたプロセッサと、
前記第１のデバイスに前記選択メッセージを送信するように構成された送信機と
を備える、ワイヤレス通信用の装置。
［Ｃ２］  前記プロセッサが、
前記第１のデバイスとのワイヤレス通信用に前記第１のデバイスによって選択された前記複数のチャネルのうちの１次チャネルを決定することと、
前記複数のチャネルのうちの最高の推定された品質を有するチャネルを前記第１のチャネルとして選択することと
を行うように構成され、
前記送信機が前記１次チャネル上で前記選択メッセージを送信するとき、前記選択メッセージのデータコンテンツが前記第１のチャネルの選択を示し、
前記送信機が前記第１のチャネル上で前記選択メッセージを送信するとき、前記選択メッセージの前記データコンテンツが前記第１のチャネルの選択を示さず、
前記複数のチャネルのうちの各チャネルが周波数帯域幅を備える、
Ｃ１に記載の装置。
［Ｃ３］  前記受信機が前記第１のチャネル上に通信がないことを検出するか、または前記プロセッサが前記第１のチャネル上の第１の通信が完了したと判断するまで、前記プロセッサが、前記第１のチャネル上での前記選択メッセージの送信を延期するように構成された、Ｃ１に記載の装置。
［Ｃ４］  前記受信機が、チャネルエネルギー検出を使用して、前記第１のチャネル上の通信を検出するように構成されるか、または
前記プロセッサが、プリアンブル検出を使用して、前記第１の通信が完了したと判断するように構成された、
Ｃ３に記載の装置。
［Ｃ５］  前記受信機が、選択メッセージの送信用の専用持続時間の開始を示すビーコンメッセージを、前記第１のデバイスからワイヤレスに受信するように構成され、
前記プロセッサが、
前記ビーコンメッセージの受信後まで前記選択メッセージの送信を延期することと、
前記専用持続時間の間、前記選択メッセージの送信を可能にすることと
を行うように構成された、
Ｃ３に記載の装置。
［Ｃ６］  前記受信機が、選択メッセージの受信を確認する確認応答メッセージを、前記第１のデバイスからワイヤレスに受信するように構成され、
前記プロセッサが、
前記確認応答メッセージが前記送信機によって送信された第１の選択メッセージの受信を確認したかどうかを判断することと、
少なくとも１つの確認応答メッセージが前記第１の選択メッセージの受信を確認していないと判断することに応答して、前記送信機に、前記第１のデバイスに前記選択メッセージをワイヤレスに送信させることと
を行うように構成された、
Ｃ５に記載の装置。
［Ｃ７］  前記受信機が、前記第１のデバイスとのワイヤレス通信用に利用可能なチャネルと、前記利用可能なチャネルがいつ利用可能になるかとをデバイスに通知するチャネル指示メッセージを、前記第１のデバイスからワイヤレスに受信するように構成され、
前記プロセッサが、前記チャネル指示メッセージに少なくとも基づいて、前記選択メッセージをいつ送信するかを決定するように構成された、
Ｃ１に記載の装置。
［Ｃ８］  前記受信機が、１次チャネル上で前記第１のデバイスから前記チャネル指示メッセージを受信するように構成された、Ｃ７に記載の装置。
［Ｃ９］  前記受信機が、前記チャネル指示メッセージを周期的に受信するように構成された、Ｃ７に記載の装置。
［Ｃ１０］  前記第１のデバイスが前記第１のチャネル上で通信していないことを前記チャネル指示メッセージが示すとき、前記プロセッサが、省電力モードに入るように構成された、Ｃ７に記載の装置。
［Ｃ１１］  前記受信機が１次チャネル上に通信がないことを検出するか、または前記プロセッサが前記１次チャネル上の第１の通信が完了したと判断するまで、前記プロセッサが、前記１次チャネル上での前記選択メッセージの送信を延期するように構成された、Ｃ１に記載の装置。
［Ｃ１２］  前記送信機が、送信リクエストメッセージを備える前記選択メッセージを、１次チャネル上でワイヤレスに送信するように構成され、
前記受信機が、各々が送信可メッセージを備える確認応答メッセージを、前記１次チャネル上で前記第１のデバイスからワイヤレスに受信するように構成され、
前記プロセッサが、
前記送信機によって送信された第１の選択メッセージの前記第１のデバイスによる受信を確認する第１の確認応答メッセージの受信後まで、前記第１のチャネル上でのデータの送信を延期することと、
第２の確認応答メッセージの前記送信可メッセージ内で示された時刻に少なくとも基づいて、通信が前記１次チャネル上で完了したかどうかを判断することと
を行うように構成された、
Ｃ１に記載の装置。
［Ｃ１３］  前記プロセッサが、物理層プリアンブルを備えるヌルデータパケットを用意することであって、前記ヌルデータパケットは１次チャネルまたは２次チャネル上の通信を延期することをデバイスに示す、用意すること、を行うように構成され、
前記送信機が、前記１次チャネル上で前記ヌルデータパケットをワイヤレスに送信するように構成された、
Ｃ１に記載の装置。
［Ｃ１４］  前記受信機が、物理層プリアンブルを備えるヌルデータパケットを、１次チャネル上で第２のデバイスからワイヤレスに受信するように構成され、
前記プロセッサが、前記ヌルデータパケットに基づいて、前記１次チャネルまたは２次チャネル上の通信を延期するように構成された、
Ｃ１に記載の装置。
［Ｃ１５］  前記受信機が、デバイスが前記第１のデバイスでバッファリングされたデータを有するかどうかを示すトラフィック指示マップ（ＴＩＭ）メッセージを、１次チャネル上で前記第１のデバイスから周期的にワイヤレスに受信するように構成され、
前記プロセッサが、前記１次チャネルまたは前記第１のチャネルのいずれかを送信チャネルとして選択するように構成され、
前記送信機が、前記第１のデバイスでバッファリングされたデータの受信用の前記第１のチャネルの選択を示すポーリングメッセージを備える前記選択メッセージを、前記送信チャネル上で前記第１のデバイスにワイヤレスに送信するように構成された、
Ｃ１に記載の装置。
［Ｃ１６］  前記プロセッサが、前記第１のデバイスから受信されたデータが正確に受信されたことを示す確認応答メッセージを用意するように構成され、
前記送信機が、前記第１のチャネル上で前記確認応答メッセージをワイヤレスに送信するように構成された、
Ｃ１５に記載の装置。
［Ｃ１７］  前記プロセッサが、前記第１のデバイスが第１のモードで動作するときは第１のプロセスを使用して、前記第１のデバイスが第２のモードで動作するときは第２のプロセスを使用して、各チャネルの前記品質を推定するように構成され、前記第１のプロセスが前記第２のプロセスと異なる、Ｃ１に記載の装置。
［Ｃ１８］  複数のチャネルを介して第１のデバイスからメッセージをワイヤレスに受信することと、
各チャネルを介して前記第１のデバイスから受信された１つのメッセージに基づいて、各チャネルの品質を推定することと、
各チャネルの前記推定された品質に基づいて、前記複数のチャネルのうちの第１のチャネルをワイヤレス通信用に選択することと、
ワイヤレス通信用の前記第１のチャネルの選択を示す選択メッセージを用意することと、
前記第１のデバイスに前記選択メッセージを送信することと
を備える、ワイヤレス通信の方法。
［Ｃ１９］  前記第１のデバイスとのワイヤレス通信用の１次チャネルを決定することと、
前記複数のチャネルのうちの最高の推定された品質を有するチャネルを前記第１のチャネルとして選択することと
をさらに備え、
前記１次チャネル上で前記選択メッセージを送信するとき、前記選択メッセージのデータコンテンツが前記第１のチャネルの選択を示し、
前記第１のチャネル上で前記選択メッセージを送信するとき、前記選択メッセージの前記データコンテンツが前記第１のチャネルの選択を示さない、
Ｃ１８に記載の方法。
［Ｃ２０］  前記第１のチャネル上に通信がないことを検出するか、または前記第１のチャネル上の第１の通信が完了したと判断するまで、前記第１のチャネル上での前記選択メッセージの送信を延期することをさらに備える、Ｃ１８に記載の方法。
［Ｃ２１］  チャネルエネルギー検出を使用して、前記第１のチャネル上の通信を検出すること、または
プリアンブル検出を使用して、前記第１の通信が完了したと判断すること
をさらに備える、Ｃ２０に記載の方法。
［Ｃ２２］  選択メッセージの送信用の専用持続時間の開始を示すビーコンメッセージを、前記第１のデバイスからワイヤレスに受信することと、
前記ビーコンメッセージの受信後まで前記選択メッセージの送信を延期することと、
前記専用持続時間の間、前記選択メッセージの送信を可能にすることと
をさらに備える、Ｃ１８に記載の方法。
［Ｃ２３］  選択メッセージの受信を確認する確認応答メッセージを、前記第１のデバイスからワイヤレスに受信することと、
前記確認応答メッセージが第１の選択メッセージの受信を確認したかどうかを判断することと、
少なくとも１つの確認応答メッセージが前記第１の選択メッセージの受信を確認していないと判断することに応答して、前記第１のデバイスに前記選択メッセージをワイヤレスに送信することと
をさらに備える、Ｃ２２に記載の方法。
［Ｃ２４］  前記第１のデバイスとのワイヤレス通信用に利用可能なチャネルと、前記利用可能なチャネルがいつ利用可能になるかとをデバイスに通知するチャネル指示メッセージを、前記第１のデバイスからワイヤレスに受信することと、
前記チャネル指示メッセージに少なくとも基づいて、前記選択メッセージをいつ送信するかを決定することと
をさらに備える、Ｃ１８に記載の方法。
［Ｃ２５］  １次チャネル上で前記第１のデバイスから前記チャネル指示メッセージを受信することをさらに備える、Ｃ２４に記載の方法。
［Ｃ２６］  前記チャネル指示メッセージを周期的に受信することをさらに備える、Ｃ２４に記載の方法。
［Ｃ２７］  前記第１のデバイスが前記第１のチャネル上で現在通信していないことを前記チャネル指示メッセージが示すとき、省電力モードに入ることを備える、Ｃ２４に記載の方法。
［Ｃ２８］  １次チャネル上に通信がないことを検出するか、または前記１次チャネル上の第１の通信が完了したと判断するまで、前記１次チャネル上での前記選択メッセージの送信を延期することをさらに備える、Ｃ１８に記載の方法。
［Ｃ２９］  送信リクエストメッセージを備える前記選択メッセージを、１次チャネル上でワイヤレスに送信することと、
各々が送信可メッセージを備える確認応答メッセージを、前記１次チャネル上で前記第１のデバイスからワイヤレスに受信することと、
第１の選択メッセージの前記第１のデバイスによる受信を確認する第１の確認応答メッセージを受信するまで、前記第１のチャネル上でのデータの送信を延期することと、
第２の確認応答メッセージの前記送信可メッセージ内で示された時刻に少なくとも基づいて、通信が前記１次チャネル上で完了したかどうかを判断することと
をさらに備える、Ｃ１８に記載の方法。
［Ｃ３０］  物理層プリアンブルを備えるヌルデータパケットを用意することであって、前記ヌルデータパケットは１次チャネルまたは２次チャネル上の通信を延期することをデバイスに示す、用意することと、
前記１次チャネル上で前記ヌルデータパケットをワイヤレスに送信することと
をさらに備える、Ｃ１８に記載の方法。
［Ｃ３１］  物理層プリアンブルを備えるヌルデータパケットを、１次チャネル上で第２のデバイスからワイヤレスに受信することと、
前記ヌルデータパケットに基づいて、前記１次チャネルまたは２次チャネル上の通信を延期することと
をさらに備える、Ｃ１８に記載の方法。
［Ｃ３２］  デバイスが前記第１のデバイスでバッファリングされたデータを有するかどうかを示すトラフィック指示マップ（ＴＩＭ）メッセージを、１次チャネル上で前記第１のデバイスから周期的にワイヤレスに受信することと、
前記１次チャネルまたは前記第１のチャネルのいずれかを送信チャネルとして選択することと、
前記第１のデバイスでバッファリングされたデータの受信用の前記第１のチャネルの選択を示すポーリングメッセージを備える前記選択メッセージを、前記送信チャネル上で前記第１のデバイスにワイヤレスに送信することと
をさらに備える、Ｃ１８に記載の方法。
［Ｃ３３］  前記第１のデバイスから受信されたデータが正確に受信されたことを示す確認応答メッセージを準備することと、
前記第１のチャネル上で前記確認応答メッセージをワイヤレスに送信することと
をさらに備える、Ｃ３２に記載の方法。
［Ｃ３４］  前記第１のデバイスが第１のモードで動作するときは第１のプロセスを使用して、前記第１のデバイスが第２のモードで動作するときは第２のプロセスを使用して、各チャネルの前記品質を推定することをさらに備え、前記第１のプロセスが前記第２のプロセスと異なる、Ｃ１８に記載の方法。
［Ｃ３５］  複数のチャネルを介して第１のデバイスからメッセージをワイヤレスに受信するための手段と、
各チャネルを介して前記第１のデバイスから受信された１つのメッセージに基づいて、各チャネルの品質を推定するための手段と、
各チャネルの前記推定された品質に基づいて、前記複数のチャネルのうちの第１のチャネルをワイヤレス通信用に選択するための手段と、
ワイヤレス通信用の前記第１のチャネルの選択を示す選択メッセージを用意するための手段と、
前記第１のデバイスに前記選択メッセージを送信するための手段と
を備える、ワイヤレス通信用の装置。
［Ｃ３６］  前記第１のデバイスとのワイヤレス通信用の１次チャネルを決定するための手段と、
前記複数のチャネルのうちの最高の推定された品質を有するチャネルを前記第１のチャネルとして選択するための手段と
をさらに備え、
前記１次チャネル上で前記選択メッセージを送信するとき、前記選択メッセージのデータコンテンツが前記第１のチャネルの選択を示し、
前記第１のチャネル上で前記選択メッセージを送信するとき、前記選択メッセージの前記データコンテンツが前記第１のチャネルの選択を示さない、
Ｃ３５に記載の装置。
［Ｃ３７］  前記第１のチャネル上に通信がないことを検出するか、または前記第１のチャネル上の第１の通信が完了したと判断するまで、前記第１のチャネル上での前記選択メッセージの送信を延期するための手段をさらに備える、Ｃ３５に記載の装置。
［Ｃ３８］  選択メッセージの送信用の専用持続時間の開始を示すビーコンメッセージを、前記第１のデバイスからワイヤレスに受信するための手段と、
前記ビーコンメッセージの受信後まで前記選択メッセージの送信を延期するための手段と、
前記専用持続時間の間、前記選択メッセージの送信を可能にするための手段と
をさらに備える、Ｃ３５に記載の装置。
［Ｃ３９］  選択メッセージの受信を確認する確認応答メッセージを、前記第１のデバイスからワイヤレスに受信するための手段と、
前記確認応答メッセージが第１の選択メッセージの受信を確認したかどうかを判断するための手段と、
少なくとも１つの確認応答メッセージが前記第１の選択メッセージの受信を確認していないと判断することに応答して、前記第１のデバイスに前記選択メッセージをワイヤレスに送信するための手段と
をさらに備える、Ｃ３８に記載の装置。
［Ｃ４０］  前記第１のデバイスとのワイヤレス通信用に利用可能なチャネルと、前記利用可能なチャネルがいつ利用可能になるかとをデバイスに通知するチャネル指示メッセージを、前記第１のデバイスからワイヤレスに受信するための手段と、
前記チャネル指示メッセージに少なくとも基づいて、前記選択メッセージをいつ送信するかを決定するための手段と
をさらに備える、Ｃ３５に記載の装置。
［Ｃ４１］  １次チャネル上に通信がないことを検出するか、または前記１次チャネル上の第１の通信が完了したと判断するまで、前記１次チャネル上での前記選択メッセージの送信を延期するための手段をさらに備える、Ｃ３５に記載の装置。
［Ｃ４２］  送信リクエストメッセージを備える前記選択メッセージを、１次チャネル上でワイヤレスに送信するための手段と、
各々が送信可メッセージを備える確認応答メッセージを、前記１次チャネル上で前記第１のデバイスからワイヤレスに受信するための手段と、
第１の選択メッセージの前記第１のデバイスによる受信を確認する第１の確認応答メッセージを受信するまで、前記第１のチャネル上でのデータの送信を延期するための手段と、
第２の確認応答メッセージの前記送信可メッセージ内で示された時刻に少なくとも基づいて、通信が前記１次チャネル上で完了したかどうかを判断するための手段と
をさらに備える、Ｃ３５に記載の装置。
［Ｃ４３］  デバイスが前記第１のデバイスでバッファリングされたデータを有するかどうかを示すトラフィック指示マップ（ＴＩＭ）メッセージを、１次チャネル上で前記第１のデバイスから周期的にワイヤレスに受信するための手段と、
前記１次チャネルまたは前記第１のチャネルのいずれかを送信チャネルとして選択するための手段と、
前記第１のデバイスでバッファリングされたデータの受信用の前記第１のチャネルの選択を示すポーリングメッセージを備える前記選択メッセージを、前記送信チャネル上で前記第１のデバイスにワイヤレスに送信するための手段と
をさらに備える、Ｃ３５に記載の装置。
［Ｃ４４］  前記第１のデバイスが第１のモードで動作するときは第１のプロセスを使用して、前記第１のデバイスが第２のモードで動作するときは第２のプロセスを使用して、各チャネルの前記品質を推定するための手段をさらに備え、前記第１のプロセスが前記第２のプロセスと異なる、Ｃ３５に記載の装置。
［Ｃ４５］  複数のチャネルを介して第１のデバイスからメッセージをワイヤレスに受信することと、
各チャネルを介して前記第１のデバイスから受信された１つのメッセージに基づいて、各チャネルの品質を推定することと、
各チャネルの前記推定された品質に基づいて、前記複数のチャネルのうちの第１のチャネルをワイヤレス通信用に選択することと、
ワイヤレス通信用の前記第１のチャネルの選択を示す選択メッセージを用意することと、
前記第１のデバイスに前記選択メッセージを送信することと
を備えるプロセスを実行するように装置に指示する実行可能プログラム命令を記憶する、非一時的コンピュータストレージ。
［Ｃ４６］  前記プロセスが、
前記第１のデバイスとのワイヤレス通信用の１次チャネルを決定することと、
前記複数のチャネルのうちの最高の推定された品質を有するチャネルを前記第１のチャネルとして選択することと
をさらに備え、
前記１次チャネル上で前記選択メッセージを送信するとき、前記選択メッセージのデータコンテンツが前記第１のチャネルの選択を示し、
前記第１のチャネル上で前記選択メッセージを送信するとき、前記選択メッセージの前記データコンテンツが前記第１のチャネルの選択を示さない、
Ｃ４５に記載の非一時的コンピュータストレージ。
［Ｃ４７］  前記プロセスが、前記第１のチャネル上に通信がないことを検出するか、または前記第１のチャネル上の第１の通信が完了したと判断するまで、前記第１のチャネル上での前記選択メッセージの送信を延期することをさらに備える、Ｃ４５に記載の非一時的コンピュータストレージ。
［Ｃ４８］  前記プロセスが、
選択メッセージの送信用の専用持続時間の開始を示すビーコンメッセージを、前記第１のデバイスからワイヤレスに受信することと、
前記ビーコンメッセージの受信後まで前記選択メッセージの送信を延期することと、
前記専用持続時間の間、前記選択メッセージの送信を可能にすることと
をさらに備える、Ｃ４５に記載の非一時的コンピュータストレージ。
［Ｃ４９］  前記プロセスが、
選択メッセージの受信を確認する確認応答メッセージを、前記第１のデバイスからワイヤレスに受信することと、
前記確認応答メッセージが第１の選択メッセージの受信を確認したかどうかを判断することと、
少なくとも１つの確認応答メッセージが前記第１の選択メッセージの受信を確認していないと判断することに応答して、前記第１のデバイスに前記選択メッセージをワイヤレスに送信することと
をさらに備える、Ｃ４８に記載の非一時的コンピュータストレージ。
［Ｃ５０］  前記プロセスが、
前記第１のデバイスとのワイヤレス通信用に利用可能なチャネルと、前記利用可能なチャネルがいつ利用可能になるかとをデバイスに通知するチャネル指示メッセージを、前記第１のデバイスからワイヤレスに受信することと、
前記チャネル指示メッセージに少なくとも基づいて、前記選択メッセージをいつ送信するかを決定することと
をさらに備える、Ｃ４５に記載の非一時的コンピュータストレージ。
［Ｃ５１］  前記プロセスが、１次チャネル上に通信がないことを検出するか、または前記１次チャネル上の第１の通信が完了したと判断するまで、前記１次チャネル上での前記選択メッセージの送信を延期することをさらに備える、Ｃ４５に記載の非一時的コンピュータストレージ。
［Ｃ５２］  前記プロセスが、
送信リクエストメッセージを備える前記選択メッセージを、１次チャネル上でワイヤレスに送信することと、
各々が送信可メッセージを備える確認応答メッセージを、前記１次チャネル上で前記第１のデバイスからワイヤレスに受信することと、
第１の選択メッセージの前記第１のデバイスによる受信を確認する第１の確認応答メッセージを受信するまで、前記第１のチャネル上でのデータの送信を延期することと、
第２の確認応答メッセージの前記送信可メッセージ内で示された時刻に少なくとも基づいて、通信が前記１次チャネル上で完了したかどうかを判断することと
をさらに備える、Ｃ４５に記載の非一時的コンピュータストレージ。
［Ｃ５３］  前記プロセスが、
デバイスが前記第１のデバイスでバッファリングされたデータを有するかどうかを示すトラフィック指示マップ（ＴＩＭ）メッセージを、１次チャネル上で前記第１のデバイスから周期的にワイヤレスに受信することと、
前記１次チャネルまたは前記第１のチャネルのいずれかを送信チャネルとして選択することと、
前記第１のデバイスでバッファリングされたデータの受信用の前記第１のチャネルの選択を示すポーリングメッセージを備える前記選択メッセージを、前記送信チャネル上で前記第１のデバイスにワイヤレスに送信することと
をさらに備える、Ｃ４５に記載の非一時的コンピュータストレージ。
［Ｃ５４］  前記プロセスが、前記第１のデバイスが第１のモードで動作するときは第１のプロセスを使用して、前記第１のデバイスが第２のモードで動作するときは第２のプロセスを使用して、各チャネルの前記品質を推定することをさらに備え、前記第１のプロセスが前記第２のプロセスと異なる、Ｃ４５に記載の非一時的コンピュータストレージ。